(57)【要約】【課題】封筒の取出口を閉じている紙板材を引き開くようにして開封するときに、紙板材に紙むけが広がらないようにし、取出口が適正に開放されてその取出口回りの美観を損なわないようにする。【解決手段】取出口開閉部１０で対向する紙板材３，８を、取出口開閉部１０の間口方向に亘る接着剤９を介して貼り合わせで取出口６を閉じており、取出口開閉部１０の紙板材３，８それぞれの対向面に、接着位置より封筒内方空間１１側となる位置にして且つ取出口開閉部１０の間口方向に亘って、切れ目１３が紙板材３、８を貫通しない一条の連続した紙むけ止め手段１２を設けた。【選択図】　　図１
2004059117.tif 000002
【特許請求の範囲】
【請求項１】
取出口開閉部で対向する紙板材を、取出口開閉部の間口方向に亘る接着剤を介して貼り合わせで取出口を閉じた封筒であって、
前記取出口開閉部の紙板材それぞれの対向面に、接着位置より封筒内方空間側となる位置にして且つ取出口開閉部の間口方向に亘って、切れ目が紙板材を貫通しない一条の連続した紙むけ止め手段が設けられていることを特徴とする封筒。
【請求項２】
上記紙むけ止め手段は二条にしてそれぞれが不連続であり、一方の紙むけ止め手段の切れ目と他方の紙むけ止め手段の切れ目間部とが隣り合って、一方の紙むけ止め手段の切れ目は、他方の紙むけ止め手段の切れ目間部より長く設けられている請求項１に記載の封筒。
【請求項３】
切れ目が紙板材を貫通している請求項２に記載の封筒。
【発明の詳細な説明】
【０００１】
【発明の属する技術分野】
本発明は封筒に関するものである。
【０００２】
【発明が解決しようとする課題】
従来から各種の書面などを送付するものとしては紙板材からなる封筒が用いられており、一辺側にある取出口となる開口部分を通して書面などを入れ、封緘片の役割をする片を折り重ねて封をしている。そして、この封緘に際しては取出口で相対する紙板材同士を接着剤を介して貼り合わせて確実に取出口が閉じられるようにしている。
しかしながら、封筒の取出口を開く際に紙板材の接着部位から紙むけが発生してこれが広がって取出口が適正に開かず、延びたり広がったりした紙むけにより取出口回りの美観を損なうという問題がある。
そこで本発明は上記事情に鑑み、封筒の取出口を閉じている紙板材を引き開くようにして開封するときに、その紙板材に紙むけが広がらないようにすることを課題とし、取出口が適正に開放されてその取出口回りの美観を損なわないようにすることを目的とする。
【０００３】
【課題を解決するための手段】
本発明は上記課題を考慮してなされたもので、取出口開閉部で対向する紙板材を、取出口開閉部の間口方向に亘る接着剤を介して貼り合わせで取出口を閉じた封筒であって、前記取出口開閉部の紙板材それぞれの対向面に、接着位置より封筒内方空間側となる位置にして且つ取出口開閉部の間口方向に亘って、切れ目が紙板材を貫通しない一条の連続した紙むけ止め手段が設けられていることを特徴とする封筒を提供して、上記課題を解消するものである。
また、本発明において、上記紙むけ止め手段は二条にしてそれぞれが不連続であり、一方の紙むけ止め手段の切れ目と他方の紙むけ止め手段の切れ目間部とが隣り合って、一方の紙むけ止め手段の切れ目は、他方の紙むけ止め手段の切れ目間部より長く設けられているものとすることが可能である。そして、前記切れ目が紙板材を貫通しているものとすることが可能である。
【０００４】
【発明の実施の形態】
つぎに本発明を図１から図５に示す実施の形態に基づいて詳細に説明する。
図中１は封筒で、該封筒１は封筒外形紙である一対の紙板材２、３とが折り部４を介して連接されて折り合わされ、折り部４と直交して前記折り合せにより相対する辺部を接着剤５を介して貼り合わせて取出口６を有しているとともに、一方の紙板材２の前記折り部４とは反対側の辺に折り部７を介して封緘片である紙板材８が連接され、この紙板材８を前記紙板材３側に折り重ねて紙板材３に接着剤９を介して貼り合わせることで、紙板材８と紙板材３の前記紙板材８に対する対応部３ａとからなる取出口開閉部１０が閉じられ、封筒内方空間１１に収容物Ａを収めた状態としているものである。
なお、封筒内方空間１１の収容物は封筒１の製造過程において紙板材２に紙板材３を折り合わせる際にその紙板材２の上に配置するようにしたり、紙板材２と紙板材３との対向辺部を接着しておき、その後に取出口６を通して封筒内方空間１１に収容物を入れてから取出口開閉部１０を閉じるようにしてもよい。
【０００５】
紙板材８と紙板材３の対応部３ａとからなる上記取出口開閉部１０は上述したように接着剤９を介して貼り合わされており、図１に示すように取出口開閉部１０の間口方向に亘って設けられている。さらにこの取出口開閉部１０において対応した紙板材３，８を重ね合わせたときの対向面それぞれには、接着位置より封筒内方空間１１側となる位置にして且つ取出口開閉部１０の間口方向に亘って一条の連続した紙むけ止め手段１２が設けられている。
上述したように紙むけ止め手段１２は紙板材を貫通しない状態にした一本の切れ目１３からなるものである。そして閉じた取出口開閉部１０を引き開いて取出口６を開放するときには、紙板材８の封筒外方側である端縁を持って捲り上げるようにすることから、その引き開きに際して仮に紙板材８や紙板材３の対応部３ａの接着位置から紙むけが発生したとしても、紙むけ止め手段１２の位置で紙むけが止まるようになって広がらず、取出口６が確実に開放され、取出口６回りの美観を損なうことがなくなる。
【０００６】
図１と図２に示した上記実施の例では、封筒１が紙板材２、３が折り合わされ、紙板材２に連接された封緘片の役割をする短い紙板材８が前記紙板材３の外面側に貼り合わされるようにしたものであるが、他の形態の取出口開閉部１０を有する封筒であっても本発明は実施できるものである。図３と図４はその例を示していて、この封筒１では封筒外形紙の一方である紙板材２の一辺に折り部７を介して紙板材２に対する連接方向での寸法を小さくした紙板材８が連接されて紙板材２側に折り合わされ、折り部７に直交して相対する辺部が接着剤５により張り合わされているとともに、封筒外形紙である紙板材２、３が折り部４を介して連接されて折り合わされ、折り部４と直交して相対する辺部が同様に接着剤５により貼り合わされ、紙板材８に重なる部分においても重ね合わせによって対向する辺部が接着剤５を介して貼り合わされ、これによって前記紙板材８とこの紙板材８の外面側に重なる紙板材３の対応部３ｂとで取出口６を開閉する取出口開閉部１０が形成されている。
【０００７】
取出口対応部１０では、上記実施の例と同様に間口方向に亘って接着剤９を介して張り合わされている。さらに、取出口開閉部１０における紙板材８と紙板材３の対応部３ｂの対向面それぞれでは、接着位置より封筒内方空間１１側となる位置にして且つ取出口開閉部１０の間口方向に亘って一条の連続した紙むけ止め手段１２を設けている。
この例においても取出口開閉部１０を引き開いたときに仮に接着位置から紙むけが発生したとしても、封筒内方空間側の紙むけ止め手段１２にかかったときに紙むけが切れることとなり、取出口６を確実に開放して取出口６の内周面の美観を損なうことがない。
【０００８】
上記各実施の例では、連続した切れ目からなる紙むけ止め手段を一条としているが、本発明はこれに限定されるものではない。図５は図１と図２に示されている封筒１の基本形態を同じにして実施した例を示しており、この図５に示されているように紙むけ止め手段１２を平行な二条にしてもよく、この場合には紙むけ手段１２それぞれを不連続とし、一方の紙むけ止め手段１２の切れ目１３と他方の紙むけ止め手段１２の切れ目間部１４とが隣り合っている。そして、一方の紙むけ止め手段１２の切れ目１３は、他方の紙むけ止め手段１２の切れ目間部１４より長く設けられており、取出口開閉部１０を引き開くときに接着位置から紙むけが発生して紙板材中の層間剥離が直線的に進んだとしても両紙むけ止め手段１２の切れ目間部１４を通らないようにしている。よって、上記一本の切れ目からなる連続した紙むけ止め手段１２の場合と同じように紙むけが広がることがない。
なお、上述のように紙むけ止め手段１２を二条としてそれぞれを不連続にした場合には切れ目１３は紙板材３、８を貫通するようにしてもよい。そして、両紙むけ止め手段１２が同一の形態である必要もない。
【０００９】
【発明の効果】
以上説明しように、本発明の封筒によれば、取出口開閉部で対向する紙板材を、取出口開閉部の間口方向に亘る接着剤を介して貼り合わせで取出口を閉じたものであって、前記取出口開閉部の紙板材それぞれの対向面に、接着位置より封筒内方空間側となる位置にして且つ取出口開閉部の間口方向に亘って、切れ目が紙板材を貫通しない一条の連続した紙むけ止め手段が設けられていることを特徴とし、また、紙むけ止め手段は二条にしてそれぞれが不連続であり、一方の紙むけ止め手段の切れ目と他方の紙むけ止め手段の切れ目間部とが隣り合って、一方の紙むけ止め手段の切れ目は、他方の紙むけ止め手段の切れ目間部より長く設けられていることを特徴とするものであることから、取出口開閉部を引き開いたときに、この取出口開閉部を貼り合わせていた接着材の位置から紙むけが発生したとしても、紙むけ止め手段にてその紙むけが止まるようになり、取出口を適切に開放するとともに開いた取出口回りの美観を損なうことがないなど、実用性に優れた効果を奏するものである。
【図面の簡単な説明】
【図１】本発明に係る封筒の一例を一部切り欠いて示す説明図である。
【図２】一例を断面で示す説明図である。
【図３】他の例を一部切り欠いて示す説明図である。
【図４】他の例を断面で示す説明図である。
【図５】紙むけ止め手段の他の例を示す説明図である。
【符号の説明】
１…封筒
２、３…紙板材
３ａ，３ｂ…対応部
６…取出口
８…紙板材
１０…取出口開閉部
１１…封筒内方空間
１２…紙むけ止め手段
Ａ…収容物
【図１】
2004059117.tif 000003
【図２】
2004059117.tif 000004
【図３】
2004059117.tif 000005
【図４】
2004059117.tif 000006
【図５】
2004059117.tif 000007